(57)【要約】      （修正有）【課題】電源供給の有無に関わらず、システムの構成装置の状態情報を取得し、システムの構成状況又は障害状況を動的に把握できる。【解決手段】構成装置監視システムは、１つ以上の構成装置を備えるシステムにおいて、システム管理用コントローラ３と、システム管理用コントローラ３に接続され、システム管理用コントローラ３と第１の無線回線７との間の通信を制御する無線送受信制御装置４と、少なくとも１つの構成装置に装着され、構成装置の状態情報を取得し、第１の無線回線７を介して無線送受信制御装置４と接続される無線ＩＣタグ１とを備え、無線ＩＣタグ１は、構成装置２の装着履歴や状態値等の状態情報を第１の無線回線７を介してシステム管理コントローラ３に送信し、システム管理コントローラ３は、状態情報を解析し、解析結果を第１の無線回線７を介して無線ＩＣタグ１に送信し、無線ＩＣタグ１は解析結果を時系列的に履歴として記憶する。【選択図】図１
2006127324.tif 000002
【特許請求の範囲】
【請求項１】
少なくとも１つの独立に取り付け可能な構成装置を備えるシステムにおいて、
システム管理用コントローラと、
前記システム管理用コントローラに接続され、前記システム管理用コントローラと第１の無線回線との間の通信を制御する無線送受信制御装置と、
少なくとも１つの前記構成装置に装着され、前記構成装置の状態情報を取得し、前記第１の無線回線を介して前記無線送受信制御装置と接続される無線ＩＣタグとを備え、
前記無線ＩＣタグは、前記状態情報を前記第１の無線回線を介して前記システム管理コントローラに送信し、
前記システム管理コントローラは、前記状態情報を解析し、解析結果を前記第１の無線回線を介して前記無線ＩＣタグに送信し、
前記無線ＩＣタグは前記解析結果を時系列的に履歴として記憶する
構成装置監視システム。
【請求項２】
請求項１に記載の構成装置監視システムにおいて、
前記システム管理コントローラと前記無線ＩＣタグは異なる電源によって動作する
構成装置監視システム。
【請求項３】
請求項１又は２に記載の構成装置監視システムにおいて、
前記構成装置と前記無線ＩＣタグとの間に接続される装置制御装置を更に備え、
前記システム管理コントローラは、前記第１の無線回線を介して、構成装置の状態情報を取得するための第１の要求信号を前記無線ＩＣタグに送信し、
前記無線ＩＣタグは前記第１の要求信号に応じて前記装置制御装置に対して第２の要求信号を送信し、
前記装置制御装置は、前記第２の要求信号に応じて前記状態情報を構成装置から取得して、前記無線ＩＣタグに送信し、
前記無線ＩＣタグは、前記状態情報を前記システム管理コントローラに送信する
構成装置監視システム。
【請求項４】
請求項１又は２に記載の構成装置監視システムにおいて、
前記構成装置と前記無線ＩＣタグとの間に接続される装置制御装置を更に備え、
前記装置制御装置は、構成装置の状態情報を構成装置から定期的に取得して、前記無線ＩＣタグに送信し、
前記無線ＩＣタグは、前記状態情報を前記システム管理コントローラに定期的に送信する
構成装置監視システム。
【請求項５】
請求項１から４いずれか１項に記載の構成装置監視システムにおいて、
前記状態情報は、構成装置の種別を示す部品情報を含み、
前記システム管理コントローラは、前記無線ＩＣタグから受信した部品情報と前記構成装置の識別子とを関連付けて前記構成情報として保持する
構成装置監視システム。
【請求項６】
請求項５に記載の構成装置監視システムにおいて、
第２の無線回線を介し、前記システム管理コントローラから前記構成情報を取得する外部無線モジュールを更に備える  
構成装置監視システム。
【請求項７】
請求項６に記載の構成装置監視システムにおいて、
前記外部無線モジュールは、
第２の無線回線を介して前記無線ＩＣタグに接続し、前記無線ＩＣタグから前記履歴を取得する
構成装置監視システム。
【請求項８】
請求項１から７いずれか１項に記載の構成装置監視システムにおいて、
前記履歴は、前記構成装置が装着したシステムの情報を時系列的に記録した装着履歴であり、
前記状態情報は、前記装着履歴を含み、
前記システム管理用コントローラは、前記装着履歴を参照し、前記構成装置が前記システムに新規に接続されたと判定すると、前記無線ＩＣタグに前記システムを特定するシステム情報を送信し、
前記無線ＩＣタグは、前記システム情報を基に、前記装着履歴を更新する
構成装置監視システム。
【請求項９】
請求項１から７いずれか１項に記載の構成装置監視システムにおいて、
前記履歴は、前記構成装置の障害情報を時系列に記録した障害履歴であり、
前記状態情報は、構成装置の状態を表わす状態値を含み、
前記システム管理用コントローラは、前記構成装置の障害の有無を判定するために用いる閾値を保持し、前記無線ＩＣタグから受信する前記状態値と前記閾値とを比較し、障害と判定すると、前記無線ＩＣタグに対し、障害情報を送信し、
前記無線ＩＣタグは、前記障害情報を基に障害履歴を更新する
構成装置監視システム。
【請求項１０】
少なくとも１つの独立に取り付け可能な構成装置を備えるシステムにおいて、
前記構成装置の状態情報を取得するステップと、
第１の無線回線を介して前記状態情報を送信するステップと、
前記状態情報を受信し、解析するステップと、
前記解析結果を第１の無線回線を介して返信するステップと、
前返信された記解析結果を時系列的に履歴として記憶するステップとを具備する
構成装置監視方法。
【請求項１１】
請求項１０に記載の構成装置監視方法において、
前記状態情報を取得するステップは、前記第１の無線回線を介した第１の要求信号に応じて実行される
構成装置監視方法。
【請求項１２】
請求項１０に記載の構成装置監視方法において、
前記状態情報を取得するステップと、前記状態情報を送信するステップは、定期的に実行される
構成装置監視方法。
【請求項１３】
請求項１０から１２いずれか１項に記載の構成装置監視方法において、
第２の無線回線を介した第２の要求信号を送信するステップと、
前記第２の要求信号に応じて、前記状態情報を前記要求信号元に、前記第２の無線回線を介して送信するステップと、
前記状態信号を表示及び記憶するステップとを更に備える
構成装置監視方法。
【発明の詳細な説明】
【技術分野】
【０００１】
本発明は、構成装置の状態を監視する構成装置監視システムに関し、特に、無線ＩＤタグを使用して構成装置の状態を監視する構成装置監視システムに関する。
【背景技術】
【０００２】
従来、サーバコンピュータにおいて、装置構成情報や付随するセンサ情報は初期情報として装置固定のＮＶＲＡＭに保持されていた。そのため、構成情報に変更があるとＮＶＲＡＭの情報を書き換える必要があり、管理に手間がかかっていた。又、サーバコンピュータにおける構成装置のセンサ監視においては、ＢＭＣ（Ｂａｓｅｂｏａｄ  Ｍａｎａｇｅｍｅｎｔ  Ｃｏｎｔｒｏｌｌｅｒ）と呼ばれるコントローラが集中的に管理を行っているため、ユーザが障害情報を取り出すには当然のことながら管理対象サーバに電源が入っている状態でなければならない。
【０００３】
従来のコンピュータシステムにおける、ＢＭＣを用いたセンサ監視方法は、ＢＭＣとコンピュータシステムに装着された監視対象デバイス（以下、構成装置２と呼ぶ）をＳＭＢｕｓなどのバスで接続するものであり、更に、センサにて発生したを検出された障害情報は、ＢＭＣにて管理されるメモリに保存されるのが一般的である。しかしながら、このＢＭＣによる監視方式では、障害情報がＢＭＣに付随するメモリに保存されているため、読みだしには専用のソフトウェアが必要であり、更に管理対象装置には電源が供給されていなければならない。
【０００４】
又、障害情報はＢＭＣの一箇所にて管理されているため、コンピュータシステムから取り外した部品単位での障害発生記録を追跡することはできない。更に、ＢＭＣに含まれる障害情報を解析する際、構成装置２に付随するセンサを特定するには装置固定のＮＶＲＡＭから情報を取得しなければならず、構成装置２毎に作成するＮＶＲＡＭ情報の管理に手間がかかっていた。
【０００５】
一方、特開２００４−０７８８４０号公報に、無線タグを用いてセンサからの信号を無線タグ内のＥＥＰＲＯＭに書き込み、質問機への返信フレームに乗せてセンサデータを送出する無線タグ及びテレメトリシステムが開示されている（特許文献１参照）。しかし、無線タグはセンサからの信号を読み取り質問機へ送信及び記憶するだけで、その信号の解析や解析結果は無線タグに記憶されない。又、特開２００４−１５７７１５に電子装置を構成する部品に付されたその部品の識別のための部品識別データである部品番号をデータ取得装置により取得し、取得した部品識別データを指定された装置識別データである製造番号に関連付けして記憶される電子装置のデータベース作成方法が開示されている（特許文献２）。しかし、この開示例では、部品番号を読み取るだけで、部品の状態情報を動的把握することができない。
【特許文献１】特開２００４−０７８８４０号公報
【特許文献２】特開２００４−１５７７１５号公報
【発明の開示】
【発明が解決しようとする課題】
【０００６】
本発明の目的は、監視対象のシステムへの電源供給の有無に関わらず、前記システムの構成装置の状態情報を取得可能な構成装置監視システムを提供することにある。
【０００７】
本発明の他の目的は、前記システムから取り出した構成装置の状態情報を取得できる構成装置監視システムを提供することにある。
【０００８】
本発明の更に他の目的は、前記システムの構成状況を動的に把握することができる構成装置監視システムを提供することにある。
【課題を解決するための手段】
【０００９】
以下に、［発明を実施するための最良の形態］で使用される番号・符号を括弧付きで用いて、［課題を解決するための手段］を説明する。この番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１０】
本発明による構成装置監視システムは、少なくとも１つの独立に取り付け可能な構成装置２を備えるシステムにおいて、システム管理用コントローラ（３、３’）と、システム管理用コントローラ（３、３’）に接続され、システム管理用コントローラ（３、３’）と第１の無線回線（７）との間の通信を制御する無線送受信制御装置（４）と、少なくとも１つの構成装置（２）に装着され、構成装置（２）の状態情報を取得し、第１の無線回線（７）を介して無線送受信制御装置（４）と接続される無線ＩＣタグ（１、１’）とを備える。
【００１１】
無線ＩＣタグ（１、１’）は、構成装置（２）の装着履歴や状態値等の状態情報を第１の無線回線（７）を介してシステム管理コントローラ（３、３’）に送信し、システム管理コントローラ（３、３’）は、状態情報を解析し、解析結果を第１の無線回線（７）を介して無線ＩＣタグ（１、１’）に送信し、無線ＩＣタグ（１、１’）は解析結果を時系列的に履歴として記憶する。又、構成装置（２）と無線ＩＣタグ（１、１’）との間に接続される装置制御装置（２０）を更に備え、システム管理コントローラ（３、３’）は、第１の無線回線（７）を介して、構成装置（２）の状態情報を取得するための第１の要求信号を無線ＩＣタグ（１、１’）に送信し、無線ＩＣタグ（１、１’）は第１の要求信号に応じて装置制御装置（２０）に対して第２の要求信号を送信し、
装置制御装置（２０）は、第２の要求信号に応じて状態情報を構成装置から取得して、無線ＩＣタグ（１、１’）に送信し、無線ＩＣタグ（１、１’）は、状態情報をシステム管理コントローラ（３、３’）に送信する。
【００１２】
無線ＩＣタグ（１、１’）は無線回線を介して起電、あるいは、電池を内蔵する電源部（１１）を備える。このため、システム管理コントローラ（３、３’）と無線ＩＣタグ（３、３’）は異なる電源によって動作する。
【００１３】
又、第２の無線回線（７）を介し、システム管理コントローラ（３、３’）又は無線ＩＣタグ（１、１’）から構成情報を取得する外部無線モジュール（６）を更に備える。  
【００１４】
このように、本発明における構成装置監視システムのシステム管理コントローラ（３、３’）は、動的に装置構成を識別することが可能である。又、障害を検出したシステム管理コントローラ（３、３’）は、無線送受信制御装置（４）を制御することにより、障害情報を各無線ＩＣタグ（１、１’）に書き込むことできるため、保守時において、外部無線モジュール（６）を用いて、対象システム又は故障した構成装置（２）への電源供給の有無に関わらず、障害情報の解析、部品の特定が可能となる。
【発明の効果】
【００１５】
本発明の構成装置監視システムによれば、監視対象のシステムへの電源供給の有無に関わらず、前記システムの構成装置の状態情報を取得することができる。
【００１６】
又、コンピュータから取り出した構成装置の状態情報を取得することができる。
【００１７】
更に、前記システムの構成状況を動的に把握することができる。
【発明を実施するための最良の形態】
【００１８】
以下、添付図面を参照して、本発明による構成装置監視システムの実施の形態を説明する。無線ＩＣタグの微小化に伴ない、同一筐体内における構成装置２又はコンピュータシステムにケーブル等で接続される関連機器に無線ＩＣタグ１を取り付けることが可能となってきている。又、無線ＩＣタグ１の電源は、取り付けられたシステムとは異なる電源を利用できる。このため、本発明による構成装置監視システムは、コンピュータシステムを構成する構成装置２の状態（例えば、障害発生状況や、コンピュータシステムへの装着履歴）を監視することに好適に用いられる。
【００１９】
（第１の実施の形態）
図１から図１６を参照して、本発明による構成装置監視システムの第１の実施の形態が説明される。
【００２０】
本発明による構成装置監視システムは、サーバに用いられるサーバコンピュータにおいて、コンピュータシステムを構成する構成装置２、例えばコンピュータ内のマザーボード２−４、又、そのマザーボード２−４上に設けられるＤＩＭＭ（Ｄｕａｌ  Ｉｎｌｉｎｅ  Ｍｅｍｏｒｙ  Ｍｏｄｕｌｅ）２−１、冷却ファン２−２（以下ＦＡＮ２−２と呼ぶ）及びＣＰＵ２−３等の状態情報を監視する。状態情報とは、構成装置２のコンピュータヘの装着状況を示す構成情報や構成装置２の障害状況を示す障害情報である。
【００２１】
図１は、本発明による構成装置監視システムの構成図である。構成装置監視システムは、コンピュータシステムに接続されるマザーボード２−４上に設けられたシステム管理コントローラであるＢＭＣ（Ｂａｓｅｂｏａｄ  Ｍａｎａｇｅｍｅｎｔ  Ｃｏｎｔｒｏｌｌｅｒ）及び構成装置２であるＤＩＭＭ２−１、ＦＡＮ２−２、ＣＰＵ２−３及びマザーボード２−４と、ＢＭＣ３に接続される無線送受信制御装置４と、構成装置２の各々に接続される無線ＩＣタグ１−１〜１−４とを具備し、コンピュータの外部にから無線回線を介して無線送受信制御装置４及び無線ＩＣタグと接続する外部無線モジュールとを更に具備する。又、無線ＩＣタグ１は、無線回線７を介して無線送受信制御装置４と接続され、ＢＭＣの制御を受けて構成装置２の状態情報を取得する。無線送受信制御装置４及びアンテナ５はマザーボード２−４上でなくとも、無線タグ１と無線回線７を介して接続できる範囲にあればどこに配置されていても良い。尚、構成装置２は上記の装置に限らず、コンピュータシステムを構成する装置であれば、各種Ｉ／Ｆを介して接続される外部記憶装置やモニタ、プリンタ等でも構わない。
【００２２】
第１の実施の形態における無線ＩＣタグ１は、パッシブ型の無線ＩＣタグを用い、無線回線７を介して無線送受信制御装置４や外部無線モジュールから電力供給を受けて動作する。又、マルチアクセス方式を採用し、無線送受信制御部４や外部無線モジュール６は、コンピュータ内にある全ての無線ＩＣタグ１と通信可能である。ＢＯＣ３や外部無線モジュールは、無線ＩＣタグ１に送信するデータの中に無線ＩＣタグ１のＧＵＩＤを含ませることで、選択的に無線ＩＣタグ１を制御して状態情報を取得することができる。
【００２３】
図２は無線ＩＣタグ１の構成図である。本発明による無線ＩＣタグは、相互に通信バスに接続されるタグメモリ１０と、電源部１１と、タグ制御回路１２と、送受信部１３と、タグアンテナ１４とを備える。
【００２４】
タグメモリ１０は、読み書き可能なリードライト型のメモリで、メモリマップ１００を保持し、タグ制御回路１２が作成する各種情報を記憶する。図７を参照してメモリマップ１００の構成が説明される。メモリマップ１００は、部品情報領域１０１と、部品状態領域１０２と、状態履歴領域１０３と、障害情報履歴領域１０４と、装着履歴領域１０５を具備している。
【００２５】
部品情報領域１０１は、当該無線ＩＣタグ１が装着している構成装置２固有の部品情報を格納する。部品情報とは、構成装置２を識別するための部品ＧＵＩＤ１１１と、構成装置２の部品名や型番を示す部品タイプ１１２と、構成装置２の仕様やバージョン情報を含む部品説明１１３である。部品ＧＵＩＤ１１１は２の１２８乗ほどの十分大きな値を割り当て、部品を一意に特定するために使用する。部品タイプ１１２は部品の種類（ＣＰＵ、ＤＩＭＭ、ＦＡＮ．．．）を特定するために使用する。部品説明１１３はフリーフォマットで部品の特徴を説明するために使われる。又、これら情報は事前に初期値として書き込みが完了されている。
【００２６】
部品状態領域１０２は、構成装置２の現在の状態を示す状態値１２１を格納する。状態値１２１は、装置制御装置２０から入力する状態信号から得られる情報である。例えば、構成装置２の温度値や電圧値、ＦＡＮ２−２の場合は回転数等である。
【００２７】
状態履歴領域１０３は、部品状態領域１０２の状態値１２１を状態値１３２履歴として格納した時刻１３１と関連付けて時系列的に格納する。障害情報履歴領域１０４は、当該無線ＩＣタグ１が装着している構成装置２において発生した障害情報を書き込むための領域である。障害情報履歴１０４は、障害を検出した時刻である時刻１４１と、障害が発生した構成装置２に接続しているコンピュータシステムの識別子である発生装置ＧＵＩＤ１４２と、障害タイプ１４３とを関連付けて時系列的に格納する。装着履歴領域１０５は、当該無線ＩＣタグ１が装着されている構成装置２に接続しているコンピュータシステムの装置情報の履歴を書き込むための領域である。装着履歴領域１０５は、構成装置２が新たな装置として認識された時刻である認識時刻１５１と、構成装置２に接続しているコンピュータの装置ＧＵＩＤ１５２と、このコンピュータの仕様やバージョン情報を示す装置説明１５３を時系列的に格納する。この領域を読み取ることで、ある構成装置２がどのコンピュータに含まれていたかを追跡することができる。
【００２８】
無線ＩＣタグ１は、タグアンテナ１４を介して無線送受信コントローラ４又は外部無線モジュール６との通信を行なう。本実施の形態における無線ＩＣタグ１は、パッシブ型であり、電源部１１は、無線送受信制御装置４又は外部無線モジュール６からの電磁波によって起電する。タグ制御回路１２や送受信部１３は、この電源部１１から電力の供給を受けて動作する。
【００２９】
タグ制御回路１２は、無線ＩＣタグ内における信号やデータの制御を行なう。又、ＢＭＣ３からの状態情報の要求指示に基づき、装置制御装置に状態信号２１を要求する要求信号を発行し、構成装置２の状態情報を取得する。送受信部１３は、タグアンテナ１４を介して入出力する信号及びデータや、装置制御装置２０から入力する状態信号２１を制御する。又、タグアンテナ１４を介して入出力する信号及びデータの変復調を実行する。
【００３０】
図３は、ＢＭＣ３の構成図である。ＢＭＣ３は、通信バスによって相互に接続される検出処理部３１と、エラー判定部３２と、通知部３３と、送受信部３４と、ＢＭＣ制御回路３５と、ＢＭＣメモリとを具備する。送受信部３４は、マザーボード２−４を介して無線送受信コントローラ４に接続され、無線送受信コントローラ４を制御して、空中線５を介し、無線ＩＣタグ１や外部無線モジュール６と通信する。又、ＢＭＣ３は、マザーボード２−４を介してコンピュータのＯＳ等のプログラムによって制御される。
【００３１】
検出処理部３１は、無線ＩＣタグ１から入力するデータを分析して、コンピュータに接続する構成装置２が新規の装置か否かを判定する。又、構成装置２が、新しくコンピュータに接続された装置である場合、無線ＩＣタグ１に部品情報を要求し、無線ＩＣタグ１から受信する部品情報を、ＢＭＣ３の内部メモリであるＢＭＣメモリ３６に装置構成情報として記憶させる。図８を参照して、ＢＭＣメモリ３６内における装置構成情報の構造が示される。装置構成情報は、検出処理部３１が検出した構成装置２毎の、構成装置２を検出した時刻である部品検出時刻２０１と、部品情報に対応した部品ＧＵＩＤ２０２、部品タイプ２０３、部品説明２０４を含んでいる。
【００３２】
エラー判定部３２は、無線ＩＣタグから入力するデータを分析して、構成装置２に障害が発生したかどうかを判定し、判定結果を無線回線７を介して無線ＩＣタグに送信する。通知部３３は、コンピュータ上のプログラム（装置内プログラム）又は外部無線通知部３３からの要求により、ＢＭＣメモリ３６内の装置構成情報をそれぞれに通知する。
【００３３】
ＢＭＣ制御回路３５は、ＢＭＣ３内における信号やデータの制御及び、検出処理部３１、エラー判定部３２、通知部３３の各処理を実行する。送受信部３４は、無線送受信コントローラや装置内プログラムとの間で入出力する各種信号やデータを制御する。
【００３４】
図４は、ＤＩＭＭ２−１に装着される無線ＩＣタグ１−１の装着例である。ＤＩＭＭ２−１はメモリチップ２２を備え、メモリチップ２２と装置制御装置２０であるメモリコントローラ２０−１とメモリバスを介して接続される。無線ＩＣタグ１−１は、メモリバスの信号線の一部を介してメモリコントーラ２０−１に接続される。メモリコントローラ２０−１は、無線ＩＣタグ１−１からの要求に応じメモリチップ２２から検出した温度や電圧値等の状態信号２１を無線ＩＣタグ１−１に通知する。
【００３５】
図５は、ＦＡＮ２−２に装着される無線ＩＣタグ１−２の装着例である。ＦＡＮ２−２にはＦＡＮコントローラ２０−２が取り付けられており、ＦＡＮの動作電圧や回転数等を計測する。無線ＩＣタグ１−２はＦＡＮコントローラ２０−２に接続される。ＦＡＮコントローラ２０−２は、無線ＩＣタグ１−２からの要求により、動作電圧や回転数等の状態信号２１を無線ＩＣタグ１−２に通知する。
【００３６】
図６を参照して外部無線モジュール６の構成図が説明される。外部無線モジュール６は、例えばハンディターミナルのような携帯可能なリーダであり、無線回線７を介して無線ＩＣタグ１から構成装置２の状態情報を収集して、コンピュータシステムの保守等に使用される。外部無線モジュール６は、表示装置６１、入力装置６２、送受信部６３、通知部６４、ＣＰＵ６５、メモリ６６、アンテナ６７とを具備する。表示装置６２は、液晶やＥＬディスプレイ等の表示装置であり、無線ＩＣタグ１から取得した状態情報を表示する。入力装置６２は、ユーザによるキー操作により、状態情報の取得指示を通知部６４に発行する。通知部６４は、入力装置６２からの状態情報取得指示によって、ＲＥＡＤ  ＬＯＧパケットを作成し、各無線ＩＣタグに状態情報の送信を要求するプログラムである。送受信部６３は、アンテナ６７を介して無線ＩＣタグ１との間で各種信号やデータの送信及び受信を行なう。ＣＰＵ６５は、外部無線モジュール６内の各種信号及びデータを制御し、送受信部６３、通知部６４の処理を実行する。
【００３７】
（装置構成情報の取得動作）
図７から図１２を参照して、本発明による構成装置監視システムの構成情報を取得する動作が説明される。
【００３８】
図９は、コンピュータシステムに新たに装着された構成装置２を検出する際のシーケンスである。又、図１０は、この検出処理に使用される無線パケットのフォーマットである。
【００３９】
ＢＭＣ３のＢＭＣ制御回路３５は、新規構成装置を検出するため定期的に、無線送受信制御装置４に対して部品検出指示を物理的に接続された信号線経由で発行する（ステップＳ２、）。部品検出指示を受信した無線送受信制御装置４は、アンテナ５経由でＩＤＥＮＴＩＦＹパケット１０００を各無線タグ１に対して送信する。ＩＤＥＮＴＩＦＹパケット１０００はパケットタイプ１００１及びＢＭＣ３を特定する送信元ＧＵＩＤ１００２を含む（ステップＳ４）。
【００４０】
各無線タグ１はＩＤＥＮＴＩＦＹパケット１０００に対する応答パケットとして、ＥＸＩＳＴパケット１０１０を無線回線７を介して無線制御装置４に送信する（ステップＳ６）。無線制御装置４は、ＥＸＩＳＴパケット１０１０を変換し、存在通知としてＢＭＣ３の検出処理部３１に送信する（ステップＳ８）。ＥＸＩＳＴパケット１０１０は、無線ＩＣタグ１の保有するメモリマップ１００の部品情報領域１０１と装着履歴領域１０５内の情報であり、それぞれ、部品情報１０１３、装着履歴１０１４に対応する。
【００４１】
各無線タグ１から無線制御装置４経由でＥＸＩＳＴパケット１０１０を受信したＢＭＣ３の検出処理部３１は、各ＥＸＩＳＴパケット１０１０における部品情報１０１３、装着履歴１０１４を解析し、ＢＭＣメモリ内の装置構成情報と比較を行なう。
【００４２】
新規に検出した構成装置２である場合、又は装着履歴１０１４を解析し、最後に装着されたコンピュータシステムが、ＢＭＣ３が接続している当該コンピュータシステムと異なる場合、その構成装置２を新規検出部品として判定する。
【００４３】
ＢＭＣ３の検出処理部３１は、新規部品を検出した場合、装置履歴を無線ＩＣタグ１に書き込むため、無線送受信制御装置４経由で、ＤＥＴＥＣＴパケット１０２０を送信する（ステップＳ１２）。ＤＥＴＥＣＴパケット１０２０は、対象無線ＩＣタグ１を特定するためのターゲットＧＵＩＤ１０２３と、新規部品を検出した時刻である検出時刻１０２４と、当該コンピュータシステムの識別子である装置ＧＵＩＤ１０２５と、そのコンピュータシステムの名称やバージョン情報等の装置説明１０２６とを含む。又、検出処理部３１は、ＢＭＣメモリ３６内の装置構成情報に新規部品情報を追加し、更に、装置構成情報に含まれる構成装置２で検出されなかった構成装置２の情報は、当該コンピュータから取り外されたと見なしＢＭＣメモリ３６から削除する。
【００４４】
各無線タグＩＣ１のタグ制御回路１２は、ＤＥＴＥＣＴパケット１０２０を受信すると、パケットに含まれるターゲットＧＵＩＤ１０２３と、タグメモリ１０内の部品ＧＵＩＤ１１１との比較を行ない、同一であれば、パケットに含まれる検出時刻１０２４、装置ＧＵＩＤ１０２５、及び装置説明１０２６を、メモリマップ１００中の装着履歴領域１０５に書き込む。  
【００４５】
図１１は、ＢＭＣ３における新規構成装置検出処理の動作の流れ図である。ＢＭＣ３のＢＭＣ制御回路３５は、新規構成装置を検出するため定期的に、無線送受信制御装置４に対して部品検出指示を物理的に接続された信号線経由で発行する（ステップＳ１０２、Ｓ１０４）。各無線ＩＣタグ１からＥＸＩＳＴパケット１０１０を受け取った無線送受信制御部４から存在通知を受信すると（ステップＳ１０６）、検出処理部３１は、現在コンピュータに装着している構成装置２の数ｉと、存在通知を受け取った数である検出部品数とを比較する（ステップＳ１０８）。ｉの初期値は０である。比較の結果、ｉ＜検出部品数である場合（ステップＳ１０８ＹＥＳ）、検出処理部３１は無線ＩＣタグ１から受信されるＥＸＩＳＴパケット内の部品情報１０１３及び装着履歴１０１４を解析する。装着履歴１０１４の装置ＧＵＩＤ１５２が、ＢＭＣ３の接続するコンピュータシステムと異なる場合、部品情報１０１３に対応する構成装置２は新規部品として判定される（ステップＳ１１２ＹＥＳ）。解析の結果、新規部品でないと判定されると、その数は現在数としてｉに加算される（ステップＳ１１２ＮＯ）。検出処理部３１は、新規部品と判定すると、その部品情報１０１３に対応する構成装置２に装着された無線ＩＣタグ１に対する新規検出指示を無線送受信制御装置４に発行する。この際、検出時刻１０２４も併せて送信する（ステップＳ１１４）。検出処理部３１は新規検出指示を発行すると、その部品情報１０１３及び検出時刻をＢＭＣメモリ３６に記憶させ装置構成情報を更新する（ステップＳ１１６）。
【００４６】
図１２は、無線ＩＣタグ１における新規構成装置検出処理の動作の流れ図である。図１２（ａ）は、コンピュータ内の構成（構成装置２の存在）を確認するための部品識別処理の動作の流れ図である。無線送受信制御装置４から無線回線を介してＩＤＥＮＴＩＦＹパケット１０００を受信すると（ステップＳ２０２）、無線送受信制御装置４からの電磁波によって電源部１１が動作し、無線ＩＣタグ１内に電源が供給される。無線ＩＣタグ１のタグ制御回路１２は、タグメモリ１０から部品情報領域１０１と装着履歴領域１０５内の情報を抽出し（ステップＳ２０４）、ＥＸＩＴパケット１０１０を作成し（ステップＳ２０６）、無線回線７を介して無線送受信制御装置４に送信する（ステップＳ２０８）。
【００４７】
図１２（ｂ）は、新規部品処理の動作の流れ図である。無線送受信制御装置４から無線回線を介してＤＥＴＥＣＴパケット１０２０を受信すると（ステップＳ２１０）、無線送受信制御装置４からの電磁波によって電源部１１が動作し、無線ＩＣタグ１内に電源が供給される。無線ＩＣタグ１のタグ制御回路１２は、メモリマップ１００の部品ＧＵＩＤ１１１を参照し、ＤＥＴＥＣＴパケット１０２０内のターゲットＧＵＩＤと比較して一致すると（ステップＳ２１２）、ＤＥＴＥＣＴパケット１０２０の検出時刻１０２４、装置ＧＵＩＤ１０２５、装置説明１０２６をそれぞれ、装着履歴領域の時刻１５１、装置ＧＵＩＤ１５２、装置説明１５３に書き込む（ステップＳ２１４）。
【００４８】
以上のように、ＢＭＣ３は、構成装置２のコンピュータシステムへの装着状況を、無線回線７を介して一括管理し、構成装置２毎に、その装着履歴を記憶させることができる。このため、コンピュータから取り出した場合においても、構成装置単位に装着履歴を確認することができる。又、無線ＩＣタグ１に装置構成情報を記憶させるため、従来の装置構成情報を記憶するための装置用ＮＶＲＡＭの必要がなくなる。更に、コンピュータ上のプログラムからＢＭＣ３の装置構成情報にアクセスすることにより、装置の構成を動的に把握することが可能となる。
【００４９】
（障害情報取得動作）
図７及び図１３から図１６を参照して、本発明による構成装置監視システムの障害情報を取得する動作が説明される。
【００５０】
図１３は、コンピュータシステム装着された構成装置２の障害情報を検出する際のシーケンスである。又、図１４は、この検出処理に使用される無線パケットのフォーマットである。
【００５１】
ＢＭＣ３のＢＭＣ制御回路３５は、構成装置２の障害情報を検出するため定期的に、無線送受信制御装置４に対して状態取得指示を物理的に接続された信号線経由で発行する（ステップＳ２２、）。状態取得指示を受信した無線送受信制御装置４は、アンテナ５経由でＧＥＴ  ＳＴＡＴＵＳパケット１４００を各無線タグ１に対して送信する。ＧＥＴ  ＳＴＡＴＵＳパケット１４００はパケットタイプ１４０１及びＢＭＣ３を特定する送信元ＧＵＩＤ１４０２を含む（ステップＳ２４）。
【００５２】
各無線タグ１はＧＥＴ  ＳＴＡＴＵＳパケット１４００に対する応答パケットとして、ＳＴＡＴＵＳパケット１４１０を無線回線７を介して無線制御装置４に送信する（ステップＳ２６）。無線制御装置４は、ＳＴＡＴＵＳパケット１４１０を変換し、状態通知としてＢＭＣ３のエラー判定部３２に送信する（ステップＳ２８）。ＳＴＡＴＵＳパケット１４１０は、無線ＩＣタグ１の保有するメモリマップ１００の部品情報領域１０１と部品状態領域１０２内の情報であり、それぞれ、部品情報１４１３、部品状態１４１４に対応する。
【００５３】
各無線ＩＣタグ１からＳＴＡＴＵＳパケット１４１０を受信したＢＭＣ３のＢＭＣ制御回路３６は、各ＩＣタグ１に状態履歴を書き込むため、無線送受信制御装置４に状態保存指示を発行し、（ステップＳ３０）、無線送受信制御装置４からＳＡＶＥ  ＳＴＡＴＵＳパケット１４２０を送信する（ステップＳ３２）。このＳＡＶＥ  ＳＴＡＴＵＳパケット１４２０は、対象無線ＩＣタグ１を特定するためのターゲットＧＵＩＤ１４２３と、障害を検出した時刻１４２４と、受信した部品状態１４１４に基づく部品状態１４２５とを含む。ターゲットＧＵＩＤ１４２３及び部品状態１４２５はＧＥＴ  ＳＴＡＴＵＳパケット１４００に含まれていた値を元に作成される。
【００５４】
各無線タグＩＣ１のタグ制御回路１２は、ＳＡＶＥ  ＳＴＡＴＵＳパケット１４２０を受信すると、パケットに含まれるターゲットＧＵＩＤ１４２３と、タグメモリ１０内の部品ＧＵＩＤ１１１との比較を行ない、一致すれば、パケットに含まれる時刻１４２４、及び部品状態１４２５を、メモリマップ１００中の状態履歴領域１０３における時刻１３１及び状態値１３２に書き込む。
【００５５】
ステップＳ２８において、各無線ＩＣタグ１からＳＴＡＴＵＳパケット１４１０を受信したＢＭＣ３のエラー判定部３２は、各ＳＴＡＴＵＳパケット１４１０に含まれる部品状態１４１４を解析し、構成装置２における障害（例えばＦＡＮ回転数低下やメモリＥＣＣエラー）が発生しているかどうかを判定する。（判定の仕方）判定の結果、判定の結果、構成装置２において障害発生を検知すると、エラー判定部３２は、障害が発生した構成装置２に装着された無線ＩＣタグ１に障害情報履歴を書き込むため、障害状態保存指示を発行し、ＡＤＤ  ＥＲＲ  ＬＯＧパケット１４３０を、無線送受信制御４装置経由で送信する（ステップＳ３４、Ｓ３５）。ＡＤＤ  ＥＲＲ  ＬＯＧパケット１４３０には、対象となる構成装置２のターゲットＧＵＩＤ１４３３、障害検知をした時刻１４３４、障害の種別である障害タイプ１４３５が含まれる。
【００５６】
各無線タグＩＣ１のタグ制御回路１２は、ＡＤＤ  ＥＲＲ  ＬＯＧパケット１４３０を受信すると、パケットに含まれるターゲットＧＵＩＤ１４２３と、タグメモリ１０内の部品ＧＵＩＤ１１１との比較を行ない、一致すれば、パケットに含まれる時刻１４３４、送信元ＧＵＩＤ１４３２及び障害タイプ１４３５を、それぞれ、メモリマップ１００中の障害情報履歴領域１０４における時刻１４１、発生装置ＧＵＩＤ１４２及び障害タイプ値１４３に書き込む。
【００５７】
図１５は、ＢＭＣ３における障害情報監視処理の動作の流れ図である。ＢＭＣ３のＢＭＣ制御回路３５は、構成装置２の状態情報を検出するため定期的に、無線送受信制御装置４に対して状態取得指示を物理的に接続された信号線経由で発行する（ステップＳ３０２、Ｓ３０４）。各無線ＩＣタグ１からＳＴＡＴＵＳパケット１４１０を受け取った無線送受信制御部４から状態通知を受信すると（ステップＳ３０６）、エラー判定部３２は、正常装置数ｉと、存在通知を受け付けた数である検出部品数とを比較する（ステップＳ３０８）。この際、ｉの初期値は０である。比較の結果、ｉ＜検出部品数である場合（ステップＳ３０８ＹＥＳ）、エラー判定部３２は無線送受信制御部４に対し状態保存指示を発行する（ステップ３１０）。
【００５８】
更に、エラー判定部３２は、無線ＩＣタグから受信されるＳＴＡＴＵＳパケット１４１０内の部品情報１４１３及び部品状態１４１４を解析し、障害の発生の有無を判定する（ステップＳ３１２）。ＢＭＣメモリ３６に各構成装置２の状態信号２１から得られる状態値１３２に対応する閾値を保有し、エラー判定部３２は、この閾値と、部品状態１４１４を比較して、構成装置２の障害を判定する。部品状態１４１４は、例えば、ＤＩＭＭ２−１における温度や電圧値やＦＡＮの現在の回転数等である。これらの部品情報１４１４が、閾値より小さいあるいは大きい場合、障害として判定する（ステップＳ３１２ＹＥＳ）。解析の結果、障害ではないと判定されると、その判定された数は正常装置数としてｉに加算される（ステップＳ１１２ＮＯ）。エラー判定部３２は、障害構成装置と判定すると、その部品情報１４１３に対応する構成装置２に装着された無線ＩＣタグ１に対する障害情報保存指示を無線送受信装置４に発行する（ステップＳ３１４）。  
【００５９】
図１６は、構成装置２の障害情報を検出する無線ＩＣタグ１の動作の流れ図である。図１６（ａ）は、構成装置２の状態をＢＭＣ３に通知する動作の流れ図である。無線送受信制御装置４から無線回線７を介してＧＥＴ  ＳＴＡＴＵＳパケット１４００を受信すると（ステップＳ４０２）、無線送受信制御装置４からの電磁波によって電源部１１が動作し、無線ＩＣタグ１内に電源が供給される。無線ＩＣタグ１のタグ制御回路１２は、タグメモリ１０から部品情報領域１０１と部品状態領域１０２内の情報を抽出し（ステップＳ４０４）、ＳＴＡＴＵＳパケット１４１０を作成し（ステップＳ４０６）、無線回線７を介して無線送受信制御装置４に送信する（ステップＳ４０８）。
【００６０】
図１６（ｂ）は、無線ＩＣタグ１における構成装置２の状態値保存処理の動作の流れ図である。無線送受信制御装置４から無線回線７を介してＳＡＶＥ  ＳＴＡＴＵＳパケット１４２０を受信すると（ステップＳ４１２）、無線送受信制御装置４からの電磁波によって電源部１１が動作し、無線ＩＣタグ１内に電源が供給される。無線ＩＣタグ１のタグ制御回路１２は、メモリマップ１００の部品ＧＵＩＤ１１１を参照し、ＳＡＶＥ  ＳＴＡＴＵＳパケット１４２０内のターゲットＧＵＩＤ１４２２と比較して、一致すると（ステップＳ４１４ＹＥＳ）、ＳＡＶＥ  ＳＴＡＴＵＳパケット１４２０の時刻１４２４、部品状態１４２５をそれぞれ、メモリマップ１００の状態履歴領域１０３の時刻１３１、状態値１３２に書き込む（ステップＳ４１６）。
【００６１】
図１６（ｃ）は、無線ＩＣタグ１における構成装置２の障害情報保存処理の動作の流れ図である。無線送受信制御装置４から無線回線７を介してＡＤＤ  ＥＲＲ  ＬＯＧパケット１４３０を受信すると（ステップＳ４２２）、無線送受信制御装置４からの電磁波によって電源部１１が動作し、無線ＩＣタグ１内に電源が供給される。無線ＩＣタグ１のタグ制御回路１２は、メモリマップ１００の部品ＧＵＩＤ１１１を参照し、ＡＤＤ  ＥＲＲ  ＬＯＧパケット１４３０内のターゲットＧＵＩＤ１４３２と比較して、一致すると（ステップＳ４２４ＹＥＳ）、ＡＤＤ  ＥＲＲ  ＬＯＧパケット１４３０の時刻１４３４、障害タイプ１４３５をそれぞれ、メモリマップ１００の障害情報履歴領域１０４の時刻１４１、障害タイプ１４３に書き込む（ステップＳ４２６）。又、装着履歴領域１０５の装置ＧＵＩＤ１５２を基に、当該構成装置２が現在装着しているコンピュータシステムの装置ＧＵＩＤ１５２が発生装置ＧＵＩＤ１４２として書き込まれる。
【００６２】
以上のように、ＢＭＣ３は、構成装置２の状態を、無線回線７を介して一括管理し、構成装置２毎に、その状態履歴を記憶させることができる。又、ＢＭＣ３は無線ＩＣタグ１を用いて収集した状態情報を解析して障害を検出し、無線ＩＣタグ１に障害履歴として記憶させることで、個々の構成装置２の障害履歴の解析が容易になる。
【００６３】
（外部無線モジュール６による状態情報取得動作）
図７及び図１７から図２０を参照して、本発明による構成装置監視システムの外部無線モジュール６による状態情報取得動作が説明される。
【００６４】
図１７は、外部無線モジュール６による状態情報取得動作シーケンスである。又、図１８は、この取得処理に使用されるパケットのフォーマットである。
【００６５】
外部無線モジュール６の通知部６４は、入力装置６２からの状態情報取得指示により、送信元の外部無線モジュール６を識別するための送信元ＧＵＩＤ１８０２を含むＲＥＡＤ  ＬＯＧパケット１８００を作成し、無線回線７の圏内にある無線ＩＣタグ１に対し送信する（ステップＳ４２）。ＲＥＡＤ  ＬＯＧパケット１８００を受信した無線ＩＣタグ１のタグ制御回路１２は、タグメモリ１０内からメモリマップ１００の部品情報領域１０１、状態履歴領域１０３、障害情報履歴領域１０４、装着履歴領域１０５内の情報を抽出し、それぞれ部品情報領域１８１３、状態履歴領域１８１４、障害情報履歴領域１８１５、装着履歴領域１８１６に格納し送信元ＧＵＩＤ１８１２を付してＲＥＴＵＲＮ  ＬＯＧパケット１８１０を作成し、無線回線７を介して外部無線モジュール６に送信する（ステップＳ４４）。各無線ＩＣタグ１からＲＥＴＵＲＮ  ＬＯＧパケット１８１０を取得すると、外部無線モジュール６のＣＰＵ６は、メモリ６６に記憶させる。
【００６６】
図１９は、外部無線モジュール６における状態情報取得処理の動作の流れ図である。外部無線モジュール６の通知部６４は、入力装置６２からの状態情報取得指示により、送信元の外部無線モジュール６を識別するための送信元ＧＵＩＤ１８０２を含むＲＥＡＤ  ＬＯＧパケット１８００を作成し、無線回線７の圏内にある無線ＩＣタグ１に対し送信する（ステップＳ５０２）。各無線ＩＣタグ１からＲＥＴＵＲＮ  ＬＯＧパケット１８１０を取得すると（ステップＳ５０４）、外部無線モジュール６のＣＰＵ６は、ＲＥＴＵＲＮ  ＬＯＧパケット１８１０の送信元ＧＵＩＤ１８１２を参照して、構成装置２毎に部品情報領域１８１３、状態履歴領域１８１４、障害情報履歴領域１８１５、装着履歴領域１８１６をメモリ６６に記憶させる（Ｓ５０６）。又、入力装置６２から入力される構成装置２に対応した部品情報、状態履歴、障害情報履歴、装着履歴が選択的に表示装置６１に表示される。
【００６７】
図２０は、無線ＩＣタグ１における状態情報取得処理の動作の流れ図である。外部無線モジュール６と無線回線７を介して接続可能な無線ＩＣタグ１は、ＲＥＡＤ  ＬＯＧパケット１８００を受信するとともに外部無線モジュール６からの電磁波による電源部１１が動作し、無線ＩＣタグ１内に電源が供給される（ステップＳ６０２）。ＲＥＡＤ  ＬＯＧパケット１８００を受信した無線ＩＣタグ１のタグ制御回路１２は、タグメモリ１０内からメモリマップ１００の部品情報領域１０１、状態履歴領域１０３、障害情報履歴領域１０４、装着履歴領域１０５内の情報を抽出し、それぞれ部品情報領域１８１３、状態履歴領域１８１４、障害情報履歴領域１８１５、装着履歴領域１８１６に格納し、送信元ＧＵＩＤ１８１２を付してＲＥＴＵＲＮ  ＬＯＧパケット１８１０を作成し（ステップＳ６０６）、無線回線７を介して外部無線モジュール６に送信する（ステップＳ６０８）。
【００６８】
以上のように、各構成装置２にて発生したエラー（ＦＡＮエラー、メモリエラーなど）を、障害発生部品に取り付けられた無線タグに書き込むことによって、個々の部品の障害履歴の解析を容易にする。又、保守時においては、外部無線モジュール６の使用により、対象コンピュータシステム、あるいは、故障した構成装置２への電源供給の有無に関わらず、装置構成情報の取得、障害情報の取得、及び障害部品の特定が可能となる。
【００６９】
又、各無線ＩＣタグ１の障害情報履歴領域１０４にはエラー情報が記録されるため、構成装置２単位でのエラー履歴がトレース可能となる。
【００７０】
（第２の実施の形態）
図１、図７、図２１から図２６を参照して、本発明による構成装置監視システムの第２の実施の形態が説明される。
【００７１】
第２の実施の形態における本発明による構成装置監視システムは、無線ＩＣタグ１の電源部１１’に電池を用いたアクティブ型のＩＣタグを用い、構成装置２の障害を自己検知して部品情報及び障害情報を含むパケットを、無線回線７を介して無線送受信制御装置４を経由してＢＭＣ１に送信する。
【００７２】
第２の実施の形態における構成装置監視システムの構成は、図１に示される第１の実施の形態と同じ構成である。
【００７３】
第２の実施の形態における無線ＩＣタグ１は、アクティブ型の無線ＩＣタグを用い、電池を内蔵し、無線ＩＣタグ１内の動作及び無線送受信制御装置４又は外部無線モジュールと通信することができる。又、マルチアクセス方式を採用し、無線送受信制御部４や外部無線モジュール６は、コンピュータ内にある全ての無線ＩＣタグ１と通信可能である。ＢＯＣ３や外部無線モジュールは、無線ＩＣタグ１に送信するデータの中に無線ＩＣタグ１のＧＵＩＤを含ませることで、選択的に無線ＩＣタグ１を制御して状態情報を取得することができる。
【００７４】
図２１は第２の実施の形態における無線ＩＣタグ１’の構成図である。無線ＩＣタグ１’は、相互に通信バスに接続されるタグメモリ１０と、電源部１１’と、タグ制御回路１２’と、送受信部１３と、タグアンテナ１４と、エラー判定部１５とを備える。タグメモリ１０は、上述のメモリセル１００と、ＢＭＣ３’から無線送受信制御装置４を介して受信するエラー判定に用いられる閾値を記憶する。第２の実施の形態における電源部１１’は、電池を含み、無線ＩＣタグ１’内の各部に電力を供給する。
【００７５】
タグ制御回路１２’は、無線ＩＣタグ内における信号やデータの制御を行なう。又、定期的に装置制御装置２０に状態信号２１の要求信号を発行し、構成装置２の状態情報を取得する。送受信部１３は、タグアンテナ１４を介して入出力する信号及びデータや、装置制御装置２０から入力する状態信号２１を制御する。又、タグアンテナ１４を介して入出力する信号及びデータの変復調を実行する。
【００７６】
エラー判定部１５は、タグメモリ１０内の閾値を用いて装置制御装置２０から受信する状態信号２１を解析し、構成装置２の障害の有無を判定する。
【００７７】
図２２は、第２の実施の形態におけるＢＭＣ３’の構成図である。ＢＭＣ３’は、通信バスによって相互に接続される通知部３３′と、送受信部３４と、ＢＭＣ制御回路３５と、ＢＭＣメモリとを具備する。送受信部３４は、マザーボード２−４を介して無線送受信コントローラ４に接続され、無線送受信コントローラ４を制御して、空中線５を介し、無線ＩＣタグ１’や外部無線モジュール６と通信する。又、ＢＭＣ３’は、マザーボード２−４を介してコンピュータのＯＳ等のプログラムによって制御される。
【００７８】
ＢＭＣ制御回路３５は、ＢＭＣ３’内における信号やデータの制御及び、通知部３３の各処理を実行する。送受信部３４は、無線送受信コントローラや装置内プログラムとの間で入出力する各種信号やデータを制御する。
【００７９】
無線ＩＣタグ１’は図４及び図５に示されるように構成装置２に装着し、状態信号２１を取得する。
【００８０】
外部無線モジュール６の構成は、第１の実施の形態と同じである。
【００８１】
（障害情報取得動作）
図７及び図２３から図２６を参照して、第２の実施の形態における本発明による構成装置監視システムの障害情報を取得する動作が説明される。
【００８２】
図２３は、コンピュータシステム装着された構成装置２の障害情報を検出する際のシーケンスである。又、図２４は、この検出処理に使用される無線パケットのフォーマットである。
【００８３】
ＢＭＣ３’のＢＭＣ制御回路３５は、各構成装置２の障害を判定するために用いる閾値を各無線ＩＣタグ１’に設定する閾値設定指示を発行する（ステップＳ５２）。無線送受信制御装置４は、ＳＥＴ  ＴＨＥＲＥＳＨＯＬＤパケット２２００をコンピュータ内の無線通信圏内の無線ＩＣタグ１’に送信する。ＳＥＴ  ＴＨＥＲＥＳＨＯＬＤパケット２２００は、パケットタイプ２２０１、ＢＭＣ３’を識別する送信元ＧＵＩＤ２２０２、対象となる構成装置２に装着される無線ＩＣタグ１’を特定するためのターゲットＧＵＩＤ２２０３、ＢＭＣメモリ３６から抽出された閾値２２０４を含む（ステップＳ５４）。
【００８４】
ＳＥＴ  ＴＨＥＲＥＳＨＯＬＤパケット２２００を受信した無線ＩＤタグ１のエラー判定部１５は、ＳＥＴ  ＴＨＥＲＥＳＨＯＬＤパケット２２００の閾値２２０４をタグメモリ１０に保存する。又、タグメモリ１０内の状態値１２１と比較して障害と判定すると（ステップＳ５５）、障害の種別を示す障害タイプ２２１３を含むＮＯＴＩＦＹパケット２２１０を無線回線７を介して無線送受信制御装置４に送信する（ステップＳ５６）。
【００８５】
ＮＯＴＩＦＹパケット２２１０を受信した無線送受信制御装置４は障害通知として、ＢＭＣ３’に通知し、通知を受けたＢＭＣ３’は障害情報を保存するための障害情報保存指示を発行する（ステップＳ６０）。無線送受信制御装置４は、障害情報保存指示に基づきＡＤＤ  ＥＲＲ  ＬＯＧパケットを無線ＩＣタグ１’に送信する（ステップＳ６２）。ＡＤＤ  ＥＲＲ  ＬＯＧパケットを受信した無線ＩＣタグ１’は、構成装置２から取得し障害情報として解析した結果を検出時間と関連付けてタグメモリ１０に保存する。
【００８６】
図２５は、第２の実施の形態におけるＢＭＣ３’の障害情報監視処理の動作の流れ図である。当初、ＢＭＣ３’は、各構成装置２に装着している無線ＩＣタグ１’に対し、それぞれの構成装置２の障害を判定するための閾値を書き込むための閾値設定指示を無線送受信制御装置４に発行し、ＳＥＴ  ＴＨＲＥＴＨＯＬＤパケット２２００を各無線ＩＣタグ１’に送信する（ステップＳ７０２）。ＢＭＣ３’は監視下にある（同じコンピュータシステム内において無線回線７の圏内にある）無線ＩＣタグ１’からの障害通知を待ちうける（ステップＳ７０４）。ＢＭＣ３’は、無線ＩＣタグ１’からＮＯＴＩＦＹパケット２２１０を受信すると（ステップＳ７０６）、ＮＯＴＩＦＹパケット２２１０に含まれる送信元ＧＵＩＤ２２１２をターゲットＧＵＩＤとして、障害情報の保存指示を発行する（ステップＳ７０８）。保存指示の発行後は再び障害通知を待ちうける。
【００８７】
図２６は、第２の実施の形態における無線ＩＣタグ１’の障害情報通知処理の動作の流れ図である。当初、無線ＩＣタグ１’のエラー判定部１５は、ＢＭＣ３’から受信するＳＥＴ  ＴＨＥＲＥＴＨＯＬＤパケット２２００の閾値をタグメモリ１０に記憶させる（ステップＳ８０２、Ｓ８０４）。タグ制御回路１２’は、定期的に装置制御装置２０から状態信号２１を取得し、状態値をエラー判定部１５に送信する。エラー判定部１５は、タグメモリ１０内の閾値とこの状態値とを比較し、閾値を越える状態値である場合エラー（障害発生）と判定し（ステップＳ８０６ＹＥＳ）、障害タイプ２２１３を書き込んだＮＯＴＩＦＹパケット２２１０を作成し（ステップＳ８０８）、無線回線７を介して、ＢＭＣ３’に送信する（ステップＳ８１０）。このように、エラー判定部１５は、構成装置２から取得する状態値を定期的に解析する。又、ＢＭＣ３’からの障害情報保存指示により、得られた障害情報は、タグメモリ１０に検出時刻に関連付けられて記憶される。
【００８８】
以上のように、アクティブ型の無線ＩＣタグ１’を用いることで、障害を自己検出した時点で、障害情報をＢＭＣに送信し、各無線ＩＣタグが障害情報を履歴として保持できるため、第１の実施の形態において実施するポーリング処理が不要となる。又、第１の実施の形態と同様に、外部無線モジュール６によって、無線回線７を介して各無線ＩＣタグ１’から障害情報を取得できるため、コンピュータの電源供給の有無に依存せずに構成装置２の障害状況を把握することができる。
【００８９】
第３の実施の形態における構成装置監視システムは、第１、第２の実施の形態において構成装置２に装着した無線ＩＣタグ１がコンピュータシステムに１つだけ装着され、この無線ＩＣタグ１に障害情報履歴が記憶される。この場合、障害履歴の記録動作は、第１、第２の実施例と同様である。これにより、コンピュータシステムの電源供給の有無に関わらず障害部品の特定や解析が可能となる。
【００９０】
第４の実施の形態における構成装置監視システムは、他の実施の形態における無線送受信制御装置４の替わりに、複数のコンピュータシステムのＢＭＣ３に接続される共通の無線送受信制御装置４’を備え、他の実施の形態における動作を実現する。ラックマウントシステムに収容される複数のサーバ、例えばブレードサーバなどにおいては、装置毎に無線送受信制御装置４を設置するのではなく、ラックシステムに１つの無線送受信制御装置４’ですべての無線ＩＣタグの検出が可能となる。これにより、構成が簡易になり監視にかかるコストを削減できる。
【００９１】
以上、本発明の実施の形態を詳述してきたが、具体的な構成は上記実施の形態に限られるものではなく、本発明の要旨を逸脱しない範囲の変更があっても本発明に含まれる。例えば、第１、第２の実施の形態において無線タグの応答パケット（ＥＸＩＳＴ、ＳＴＡＴＵＳ）において、パケットを構成するフィールドは、タグメモリ１０のメモリマップ１００の領域からその一部を抽出して作成しているが、このパケットを構成するデータを、メモリマップ１００の領域の一部ではなく、すべての値を返却しても構わない。これにより、無線タグ内での処理を簡略化することができる。
【図面の簡単な説明】
【００９２】
【図１】図１は、実施の形態における構成装置監視システムの構成図である。
【図２】図２は、第１の実施の形態における無線ＩＣタグの構成図である。
【図３】図３は、第１の実施の形態におけるＢＭＣの構成図である。
【図４】図４は、無線ＩＣタグのＤＩＭＭへの装着例である。
【図５】図５は、無線ＩＣタグのＦＡＮへの装着例である。
【図６】図６は、実施の形態における外部無線モジュールの構成図である。
【図７】図７は、実施の形態における無線ＩＣタグが保有するメモリマップの構造図である。
【図８】図８は、ＢＭＣメモリ内における装置構成情報の構造図である。
【図９】図９は、第１の実施の形態においてコンピュータシステムに新たに装着された構成装置２を検出する際のシーケンスである。
【図１０】図１０は、新規構成装置の検出処理に使用される無線パケットのフォーマットである。
【図１１】図１１は、ＢＭＣにおける新規構成装置検出処理の動作の流れ図である。
【図１２】図１２（ａ）は、コンピュータ内の構成を確認するための部品識別処理の動作の流れ図である。  図１２（ｂ）は、新規構成装置検出処理の動作の流れ図である。
【図１３】図１３は、第１の実施の形態において構成装置の障害情報を検出する際のシーケンスである。
【図１４】図１４は、第１の実施の形態において障害情報検出処理に使用される無線パケットのフォーマットである。
【図１５】図１５は、ＢＭＣにおける障害情報監視処理の動作の流れ図である。
【図１６】図１６（ａ）は、無線ＩＣタグにおける構成装置２の状態をＢＭＣに通知動作の流れ図である。  図１６（ｂ）は、無線ＩＣタグにおける構成装置２の状態値保存処理の動作の流れ図である。  図１６（ｃ）は、無線ＩＣタグにおける構成装置２の障害情報保存処理の動作の流れ図である。
【図１７】図１７は、外部無線モジュールによる状態情報取得動作シーケンスである。
【図１８】図１８は、状態情報取得処理に使用される無線パケットのフォーマットである。
【図１９】図１９は、外部無線モジュールにおける状態情報取得処理の動作の流れ図である。
【図２０】図２０は、無線ＩＣタグにおける状態情報取得処理の動作の流れ図である。
【図２１】図２１は、第２の実施の形態における無線ＩＣタグの構成図である。
【図２２】図２２は、第２の実施の形態におけるＢＭＣの構成図である。
【図２３】図２３は、第２の実施の形態において構成装置２の障害情報を検出する際のシーケンスである。
【図２４】図２４は、第２の実施の形態において障害情報検出処理に使用される無線パケットのフォーマットである。
【図２５】図２５は、第２の実施の形態におけるＢＭＣの障害情報監視処理の動作の流れ図である。
【図２６】図２６は、第２の実施の形態における無線ＩＣタグの障害情報通知処理の動作の流れ図である。
【符号の説明】
【００９３】
１、１’：    無線ＩＣタグ
２−１：ＤＩＭＭ
２−２：ＦＡＮ
２−３：ＣＰＵ
２−４：マザーボード
３、３’：    ＢＭＣ
４：    無線送受信制御装置
５：    アンテナ
６：    外部無線モジュール
７：    無線回線
２０：装置制御装置
【図１】
2006127324.tif 000003
【図２】
2006127324.tif 000004
【図３】
2006127324.tif 000005
【図４】
2006127324.tif 000006
【図５】
2006127324.tif 000007
【図６】
2006127324.tif 000008
【図７】
2006127324.tif 000009
【図８】
2006127324.tif 000010
【図９】
2006127324.tif 000011
【図１０】
2006127324.tif 000012
【図１１】
2006127324.tif 000013
【図１２】
2006127324.tif 000014
【図１３】
2006127324.tif 000015
【図１４】
2006127324.tif 000016
【図１５】
2006127324.tif 000017
【図１６】
2006127324.tif 000018
【図１７】
2006127324.tif 000019
【図１８】
2006127324.tif 000020
【図１９】
2006127324.tif 000021
【図２０】
2006127324.tif 000022
【図２１】
2006127324.tif 000023
【図２２】
2006127324.tif 000024
【図２３】
2006127324.tif 000025
【図２４】
2006127324.tif 000026
【図２５】
2006127324.tif 000027
【図２６】
2006127324.tif 000028